(57)【特許請求の範囲】
【請求項１】
キャップと計量器とからなる計量器付キャップにおいて、
キャップは、キャップ基体と上蓋を具え、
キャップ基体は、注出筒と、肩壁と、容器本体に装着する装着部を具え、
上蓋は、頂壁と、外周壁を具え、
頂壁の下面には、係合筒が垂設され、
外周壁の所定の位置に、計量器の一部を突出させるように下端から切込みが切込まれ、
計量器は、計量皿部と、キャップの閉蓋時に、先端が切込みを介して上蓋の外側に突出する取手部とを具え、
計量皿部の頂部付近には、内側面にキャップ基体の注出筒内周に挿入される密封筒が配設され、外側面に上蓋の係合筒内周に外周が係合する係合筒が配設されていることを特徴とする計量器付キャップ。
【請求項２】
装着部は、肩壁下端に内縁上面が連設されるリング状の上壁と、上壁の外縁に形成される段部と、上壁の下面に垂設される内筒と、上壁の下面の所定の位置に垂設される係合筒と、段部の外縁に垂設される外周壁とを具えていることを特徴とする請求項１記載の計量器付キャップ。
【請求項３】
装着部は、肩壁下端に内縁上面が連設されるリング状の上壁と、上壁の外縁下面に垂設される係合筒と、係合筒の下端外周に連設されるリング状の底壁と、底壁外縁から立設される中間筒と、中間筒の外周上端付近に連設されるリング状の段壁と、段壁の外縁に連設される外周壁とを具え、
係合筒の外周面と底壁の上面と中間筒の内周面とで液溜め凹部を形成していることを特徴とする請求項１記載の計量器付キャップ。
【請求項４】
中間筒の上端面内縁に、密封筒部が立設され、
計量器は、計量皿部下端部を係合部とし、
係合部の下端面に、閉蓋時に、キャップ基体の中間筒の密封筒部が嵌入する密封凹部が凹設されていることを特徴とする請求項３記載の計量器付キャップ。
【発明の詳細な説明】
【技術分野】
【０００１】
本発明は、計量器付キャップ、とくにキャップ基体と上蓋とからなるキュップにおいて計量器を装着した計量器付キャップに関するものである。
【背景技術】
【０００２】
内容物を計量器によって計量しながら注出し、計量した内容物を使用する計量器付キャップは、従来から周知である（例えば、特許文献１参照）。
【先行技術文献】
【特許文献】
【０００３】
【特許文献１】特開２００６−１８２３５９号公報
【発明の概要】
【発明が解決しようとする課題】
【０００４】
しかしながら、上記特許文献１のものは、計量器を蓋体として使用しているため、使用している間に、計量器の外側が汚れてしまったり、容器の落下により、蓋体としての計量器が変形してしまい、使用できなくなるという問題があった。
【０００５】
本発明は、上記問題を解決することを課題とし、蓋体で計量器を覆い、計量器を保護するとともに、簡単に開蓋することができ、また、容器自体の密封性を確保して、キャップ内を清潔に保つことができる計量器付キャップを提供することを目的とする。
【課題を解決するための手段】
【０００６】
本発明は、上記の課題を解決するために、計量器付キャップとして、キャップと計量器とからなる計量器付キャップにおいて、キャップは、キャップ基体と上蓋を具え、キャップ基体は、注出筒と、肩壁と、容器本体に装着する装着部を具え、上蓋は、頂壁と、外周壁を具え、頂壁の下面には、係合筒が垂設され、外周壁の所定の位置に、計量器の一部を突出させるように下端から切込みが切込まれ、計量器は、計量皿部と、キャップの閉蓋時に、先端が切込みを介して上蓋の外側に突出する取手部とを具え、計量皿部の頂部付近には、内側面にキャップ基体の注出筒内周に挿入される密封筒が配設され、外側面に上蓋の係合筒内周に外周が係合する係合筒が配設されていることを特徴とする構成を採用する。
【０００７】
装着部の実施例として、装着部は、肩壁下端に内縁上面が連設されるリング状の上壁と、上壁の外縁に形成される段部と、上壁の下面に垂設される内筒と、上壁の下面の所定の位置に垂設される係合筒と、段部の外縁に垂設される外周壁とを具えていることを特徴とする構成を採用する。
【０００８】
装着部の別実施例として、装着部は、肩壁下端に内縁上面が連設されるリング状の上壁と、上壁の外縁下面に垂設される係合筒と、係合筒の下端外周に連設されるリング状の底壁と、底壁外縁から立設される中間筒と、中間筒の外周上端付近に連設されるリング状の段壁と、段壁の外縁に連設される外周壁とを具え、係合筒の外周面と底壁の上面と中間筒の内周面とで液溜め凹部を形成していることを特徴とする構成を採用する。
【０００９】
装着部と計量器の実施例として、中間筒の上端面内縁に、密封筒部が立設され、計量器は、計量皿部下端部を係合部とし、係合部の下端面に、閉蓋時に、キャップ基体の中間筒の密封筒部が嵌入する密封凹部が凹設されていることを特徴とする構成を採用する。
【発明の効果】
【００１０】
本発明は、キャップと計量器とからなる計量器付キャップにおいて、キャップは、キャップ基体と上蓋を具え、キャップ基体は、注出筒と、肩壁と、容器本体に装着する装着部を具え、上蓋の頂壁の下面に係合筒が垂設され、計量器は、計量皿部と取手部とを具え、計量皿部には、頂部付近の内側面に密封筒と、頂部付近の外側面に係合筒とが配設されており、閉蓋時には、上蓋の係合筒と計量皿部の係合部が係合するとともに、計量皿部の密封筒がキャップ基体の注出筒内周に係合して注出筒より内方を密封し、上蓋とキャップ基体との内方に計量器を保持することができる。
また、上蓋が計量器を覆って保護しているので、計量器が、汚れたり、変形することを防止することができる。
開蓋時には、キャップの外側に突出する計量器の取手部の先端を持ち上げ、簡単に開蓋することができる。
【００１１】
さらに、キャップ基体の装着部が、上壁と、係合筒と、底壁と、中間筒と、段壁と、外周壁とを具え、係合筒の外周面と底壁の上面と中間筒の内周面とで形成された液溜め凹部により、注出筒および閉蓋中の計量器の計量皿部の内方に残った液を回収することができる。
また、中間筒の上端面内縁に立設された密封筒部と、計量器の計量皿部下端部を係合部とし、係合部の下端面に凹設された密封凹部とが、閉蓋時に係合し、計量皿部より内方を密封するので、液溜め凹部からこぼれた液が周りを汚すことを防止することができる。
【図面の簡単な説明】
【００１２】
【図１】本発明第１実施例の容器の断面側面図である。
【図２】キャップの開蓋後、計量器装着時の断面側面図である。
【図３】キャップの開蓋時の容器の断面側面図である。
【図４】注出時の断面側面図である。
【図５】本発明第２実施例の容器の断面側面図である。
【図６】第２実施例の説明図で、（ａ）はキャップ基体の上面図、（ｂ）は計量器の下面図である。
【発明を実施するための形態】
【００１３】
次に、本発明の計量器付キャップについて、実施例をあげ、図面を参照して説明する。
【実施例１】
【００１４】
図１において、Ａは容器本体、Ｂは容器本体Ａの口筒部に装着されるキャップ基体、Ｃはキャップ基体ＢにヒンジＤを介して開閉可能に取り付けられた上蓋、Ｅは上蓋Ｃ内に装着されるとともにキャップ基体Ｂを閉蓋する計量器である。
【００１５】
容器本体Ａは、口筒部１と肩部２と胴部とを具えており、口筒部１の外周には、ねじ３が設けられている。
【００１６】
キャップ基体Ｂは、注出筒５と、注出筒５外周下端から湾曲しながら下方に向かう肩壁６と、肩壁６下端に内縁上面が連設されるリング状の上壁７とを具えている。
上壁７の外縁には、段部８が形成され、上壁７の下面内縁には、内筒９が垂設され、上壁７の下面の所定の位置には、係合筒１０が垂設されている。
段部８の外縁には、外周壁１１が垂設されている。
外周壁１１の外周上端の所定の位置には、ヒンジＤが連設されている。
【００１７】
係合筒１０の内周には、容器本体Ａの口筒部１のねじ３と係合し、キャップ基体Ｂを容器本体Ａに装着するねじ１２が設けられている。
キャップ基体Ｂは、内筒９の外周が口筒部１の内周に係合されることによって容器本体Ａの口筒部１に装着される。
【００１８】
上記実施例では、口筒部１の外周にねじ３と、係合筒１０の内周にねじ１２を設け、螺合によりキャップ基体Ｂを容器本体Ａに装着したが、ねじによる螺合に限られることはなく、アンダーカットの係合などの他の係合方法であってもよい。
【００１９】
上蓋Ｃは、頂壁１５と、頂壁１５の外縁から湾曲しながら下方に向かう外周壁１６とを具えている。
頂壁１５の下面には、係合筒１７が垂設され、係合筒１７の内周下端には、係止突部１８が設けられている。
【００２０】
外周壁１６は、閉蓋時に、下端面がキャップ基体Ｂの段部８上面に当接するように形成されており、外周下端の所定の位置にヒンジＤが連設され、ヒンジＤの反対側には、計量器Ｅの一部を突出させるように下端から切込み１９が切込まれている。
【００２１】
計量器Ｅは、ドーム状の計量皿部２０と、計量皿部２０の外周下端に連設される取手部２１とを具えている。
取手部２１は、キャップの閉蓋時に、先端が切込み１９を介して上蓋Ｃの外側に突出するように形成されている。
また、計量皿部２０には、視認できる位置に目盛り等を描いてもよい。
【００２２】
計量皿部２０の頂部付近には、内側面にキャップ基体Ｂの注出筒５内周に挿入される密封筒２２が配設され、外側面に上蓋Ｃの係合筒１７内周に外周が係合する係合筒２３が配設されている。
【００２３】
係合筒２３の上端外周には、係合筒１７の係止突部１８上部に下部が係合し、上蓋Ｃ内に計量器Ｅを係止する係止突部２４が設けられている。
【００２４】
次に、本実施例のキャップの作用効果について、説明する。
本実施例のキャップの閉蓋時には、まず、図２に示すように、計量器Ｅの取手部２１を上蓋Ｃの切込み１９に合わせるとともに、上蓋Ｃの係合筒１７内周に、計量器Ｅの係合筒２３を挿入して計量器Ｅを上蓋Ｃに装着する。
【００２５】
次に、上蓋Ｃをキャップ基体Ｂに対してヒンジＤを介して廻動させて閉蓋する。
その際、上蓋Ｃと一緒に計量器Ｅが廻動し、図１に示すように、計量器Ｅの計量皿部２０の密封筒２２がキャップ基体Ｂの注出筒５の内周に挿入され、注出筒５より内方を密封するとともに、計量皿部２０の下端面がキャップ基体Ｂの上壁７上面に当接する。
【００２６】
本実施例のキャップの開蓋時には、まず、上蓋Ｃの外側に計量器Ｅの取手部２１の先端に指を掛け、上方に押上げる。
すると、図３に示すように、計量器Ｅの計量皿部２０の取手部２１の反対側下端面が上壁７上面当接部を支点に廻動し始め、計量器Ｅの密封筒２２とキャップ基体Ｂの注出筒５との係合が外れる。
【００２７】
また、取手部２１上面が、上蓋Ｃの切込み１９に当接して押上げ、上蓋ＣをヒンジＤを支点にしてキャップ基体Ｂに対して開蓋するとともに、計量器Ｅと上蓋Ｃの支点のズレにより、互いの廻動半径がズレることで、計量器Ｅの係合筒２３と上蓋Ｃの係合筒１７との係合が外れ、計量器Ｅを上蓋Ｃから簡単に外すことができる。
【００２８】
キャップを開蓋した後は、容器本体Ａを傾けることによって、容器内の内容物をキャップ基体Ｂの注出筒５より注出でき、また、図４に示すように、外した計量器Ｅを計量皿部２０の係合筒２３側を下にし、注出した内容物を計量器Ｅの計量皿部２０の内方で計量して使用することができる。
【００２９】
また、計量器Ｅの係合筒２３先端が接地端となり、計量器Ｅを平面上に安定して置くことができ、計量をより正確に行うことができる。
さらにまた、計量器Ｅを半透明或いは透明にするときには、計量を一層容易にできる。
【００３０】
本実施例のキャップは、閉蓋の際に、計量器Ｅの計量皿部２０を上蓋Ｃで覆うので、計量皿部２０内側とともに、外側も汚れることを防止し、清潔に保つことができる。
計量器Ｅは、キャップから容易に外すことができるので、洗浄可能である。
【００３１】
上記実施例では、計量器Ｅの取手部２１を上方に押上げることで、計量器Ｅと上蓋Ｃとの廻動半径のズレにより、上蓋Ｃの係合筒１７と計量器Ｅの係合筒２３との係合が簡単に外れるようにしたが、取手部２１を上方に持ち上げた際に、計量器Ｅと上蓋Ｃの係合により、一緒にヒンジＤを介して開蓋した後、計量器Ｅの係合筒２３と上蓋Ｃの係合筒１７との係合を外し、計量器Ｅを上蓋Ｃから外すようにしてもよい。
【実施例２】
【００３２】
次に、第１実施例のキャップ基体および計量器の構成を変えた第２実施例について、説明する。
本実施例は、とくに内容物が液体の場合に有効な実施例であって、以下、第１実施例と同一の構成部分には、同一の符号に添字ａを付して図示し、詳しい説明を省略して、相違点を中心に説明する。  
【００３３】
図５において、Ｆは容器本体Ａａの口筒部に装着されるキャップ基体、Ｃａはキャップ基体ＦにヒンジＤａを介して開閉可能に取り付けられた上蓋、Ｇは上蓋Ｃａ内に装着されるとともにキャップ基体Ｆを閉蓋する計量器である。
【００３４】
キャップ基体Ｆは、図５、６（ａ）に示すように、注出筒５ａと、注出筒５ａ外周下端から湾曲しながら下方に向かう肩壁６ａと、肩壁６ａ下端に連設される装着部２５とを具えている。
【００３５】
装着部２５は、内縁上面が連設されるリング状の上壁２６と、上壁２６の下面内縁に垂設される内筒９ａと、上壁２６の下面外縁に垂設される係合筒２７と、係合筒２７の外周下端に連設されるリング状の底壁２８と、底壁２８外縁から立設される中間筒２９と、中間筒２９の外周上端付近に連設されるリング状の段壁３０と、段壁３０の外縁に垂設される外周壁１１ａとを具えている。
また、装着部２５の係合筒２７の外周面と底壁２８の上面と中間筒２９の内周面とで形成される空間は、液溜め凹部３１となっている。
【００３６】
係合筒２７の内周には、ねじ１２ａが設けられ、キャップ基体Ｆは、口筒部１ａの外周に係合筒２７の内周が係合することによって、容器本体Ａａの口筒部１ａに装着される。
【００３７】
中間筒２９の上端面内縁には、密封筒部３２が立設されている。
外周壁１１ａの外周上端の所定の位置には、ヒンジＤａが連設されている。
【００３８】
計量器Ｇは、図５、６（ｂ）に示すように、ドーム状の計量皿部３５と、計量皿部３５の下端に連設される係合部３６と、係合部３６の外周下端に連設される取手部３７とを具えている。
取手部３７は、キャップの閉蓋時に、先端が切込み１９ａを介して上蓋Ｃａの外側に突出するように形成されている。
また、計量皿部３５には、視認できる位置に目盛り等を描いてもよい。
さらにまた、計量器Ｇは、透明または半透明であってもよい。
【００３９】
計量皿部３５の頂部付近には、内側面にキャップ基体Ｆの注出筒５ａ内周に挿入される密封筒２２ａが配設され、外側面に上蓋Ｃａの係合筒１７ａ内周に外周が係合する係合筒２３ａが配設されている。
【００４０】
係合部３６の下端面には、閉蓋時に、キャップ基体Ｆの中間筒２９の密封筒部３２が嵌入する密封凹部３８が凹設されている。
【００４１】
次に、本実施例のキャップの作用効果について、説明する。
本実施例のキャップの閉蓋時には、計量器Ｇの計量皿部３５の密封筒２２ａがキャップ基体Ｆの注出筒５ａの内周に挿入され、注出筒５ａより内方を密封する。
また、係合部３６の密封凹部３８に中間筒２９の密封筒部３２が嵌入される。
【００４２】
本実施例のキャップの開蓋時には、計量器Ｇの取手部３７の先端に指を掛け、上方に押上げることで、実施例１と同様に、上蓋Ｃａを開蓋するとともに、計量器Ｇを上蓋Ｃａから外すことができる。
【００４３】
本実施例のキャップは、キャップ基体Ｆの装着部２５に液溜め凹部３１を設けたことにより、容器内の内容物が液体であった場合、注出後に、注出筒５ａから外に垂れた液や、計量器Ｇの計量皿部３５内面に残った液などを液溜め凹部３１に回収することができる。  また、液溜め凹部３１に回収することで、装着部２５の上面、とくに、段壁３０上面に液が垂れ、残ることはなく、閉蓋の際の上蓋Ｃａとキャップ本体Ｆとの衝撃によって液が飛び散ることを防止することができる。
【００４４】
さらに、閉蓋時に、計量器Ｇの係合部３６の密封凹部３８にキャップ基体Ｆの中間筒２９の密封筒部３２が嵌入して、計量皿部３５より内方とキャップ基体Ｆとの空間を密封しているので、容器を倒してしまっても、液溜め凹部３１に溜まった液が外に漏れることを防止することができる。
その他の作用効果は、実施例１と同様である。
【００４５】
上記各実施例では、計量器の計量皿部の形状をドーム状とし、それに合わせて、上蓋およびキャップ基体に湾曲部を設けたが、閉蓋したキャップ内に計量器の計量皿部を装着することができればよいので、計量皿部の形状を箱状とし、それに合わせて、上蓋およびキャップ基体の形状を形成してもよい。
また、閉蓋したキャップ内に装着できれば、計量皿部の形状を限定する必要はなく、計量器の計量皿部の形状、および、それを内方に装着する上蓋とキャップ基体の形状は、上記各実施例の実施形態に限定されない。
【産業上の利用可能性】
【００４６】
本発明のキャップは、閉蓋した上蓋とキャップ基体との間に計量器を装着することで計量皿部を清潔に保つことができるとともに、計量器の取手部を上方に持ち上げることで、キャップを開蓋することができ、計量器を使用して計量して内容物を使用することができるので、内容液を充填した容器の計量器付キャップとして、広く利用できる。
【符号の説明】
【００４７】
Ａ、Ａａ      容器本体
Ｂ、Ｆ        キャップ基体
Ｃ、Ｃａ      上蓋
Ｄ、Ｄａ      ヒンジ
Ｅ、Ｇ        計量器
１、１ａ      口筒部
２            肩部
３、１２、１２ａ  ねじ
５、５ａ      注出筒
６、６ａ      肩壁
７、２６      上壁
８            段部
９、９ａ      内筒
１０、１７、１７ａ、２３、２３ａ、２７  係合筒
１１、１１ａ、１６、１６ａ  外周壁
１５、１５ａ  頂壁
１８、１８ａ、２４、２４ａ  係止突部
１９、１９ａ  切込み
２０、３５    計量皿部
２１、３７    取手部
２２、２２ａ  密封筒
２５          装着部
２８          底壁
２９          中間筒
３０          段壁
３１          液溜め凹部
３２          密封筒部
３６          係合部
３８          密封凹部
【図１】
0005449957.tif 000002
【図２】
0005449957.tif 000003
【図３】
0005449957.tif 000004
【図４】
0005449957.tif 000005
【図５】
0005449957.tif 000006
【図６】
0005449957.tif 000007